(57)【要約】【課題】  切削部の先端をチャック部より外側に突出し、特に、切屑排出部を円弧形状に形設することにより、ウェザーストリップのクリップ取付部（中空部）における孔あけ加工時において、切屑を確実に外側へ排出できる中空ゴム用錐を提供する。【解決手段】  チャック部の下部の段差部の先端部に、切削部の先端をチャック部より外側に突出してなる１枚刃を設けてなる中空ゴム用錐であって、切削部に切屑排出部を形設してなることを特徴とする中空ゴム用錐。【選択図】図１
2011189492.tif 000002
【特許請求の範囲】
【請求項１】
チャック部の下部の段差部の先端部に、切削部の先端をチャック部より外側に突出してなる１枚刃を設けてなる中空ゴム用錐であって、切削部に切屑排出部を形設してなることを特徴とする中空ゴム用錐。
【請求項２】
切切削部の刃先角を、約１５°とすることを特徴とする請求項１記載の中空ゴム用錐。
【請求項３】
切削部の背面角を、軸心に対して約３０°とすることを特徴とする請求項１又は２記載の中空ゴム用錐。
【請求項４】
切削部の先端切削面を、１／４略曲面形状とすることを特徴とする請求項１、２又は３記載の中空ゴム用錐。
【請求項５】
切削部の先端背面を、円弧形状とすることを特徴とする請求項１、２、３又は４記載の中空ゴム用錐。
【請求項６】
切屑排出部を、円弧形状にしてなることを特徴とする請求工１，２，３，４または５記載の中空ゴム用錐。
【発明の詳細な説明】
【技術分野】
【０００１】  自動車のドアに取り付けるウェザーストリップにクリップを取り付けるための孔を加工する中空ゴム用錐に関するものである。
【背景技術】
【０００２】  まず、ウェザーストリップ及びクリップの形状や取り付け状態について、従来例を示す。一例として、ウェザーストリップは本体部とクリップとを備えている。本体部は自動車のドア開口周縁のフランジに沿う略平板状の基部と、中空状のシール部とを備えている。基部のフランジ側壁面には、略平板形状をなし、略同一の厚みを有する緩衝部が設けられている。前記基部は、硬質素材からなり、シール部と緩衝部とは、比較的柔軟性を持つ軟質材からなる。そして、ウェザーストリップをフランジに係止固定させる際には、クリップによって、基部がフランジに向けて押し付けられることで、緩衝部が弾性変形させられる。このため、本体部とフランジとの隙間が確実に封鎖され、水等の浸入を抑制できるものがある。（特許文献１参照）【０００３】  また、別の従来例として、自動車ボディパネルのインナーパネルとアウターパネルを重合して形成したボディフランジに沿って、取付基部と中空シール部を備えたボディサイドウェザーストリップを取付けた取付構造であって、前記取付基部を、前記インナーパネルのボディフランジ近傍にクリップによって固定するものがある。（特許文献２参照）【０００４】  上記のような構造のウェザーストリップに対してクリップを取り付ける場合、孔加工を行う必要がある。
この時、使用される中空ゴム用錐ＴＫとして以下の工具がある。
円筒状の本体Ｈの下端全周に円形状の切刃Ｋを設けてなるものが主に使用されている。
本体Ｈ内に切屑ＫＺが詰まり、最悪の場合、中空部内に残ったり、完全に切削できず、引っ掛ってしまう。
【特許文献１】  特開２００５−１５３６０１号公報
【特許文献２】  特開２００４−３０６８３３号公報
【発明の開示】
【発明が解決しようとする課題】
【０００５】  上記の従来の中空ゴム用錐ＴＫによれば、本体Ｈ内に切屑ＫＺが詰まり、最悪の場合、中空部内に残ったり、完全に切削できず、引っ掛ってしまう。よって、クリップを孔に入れることができず、切屑ＫＺを取り除き、再度入れているため多大な時間と労力を要しているため、切屑ＫＺを中空部内に残すことのない中空ゴム用錐が望まれている。【０００６】  本発明は、上記のような従来の構成が有していた問題を解決しようとするもので、切削部の先端をチャック部より外側に突出し、特に、切屑排出部を円弧形状に形設することにより、ウェザーストリップのクリップ取付部（中空部）における孔あけ加工時において、切屑を確実に外側へ排出できる中空ゴム用錐を提供することを目的とする。
【課題を解決するための手段】
【０００７】  本発明は、上記目的を達成するための手段として、チャック部の下部の段差部の先端部に、切削部の先端をチャック部より外側に突出してなる１枚刃を設けてなる中空ゴム用錐であって、切削部に切屑排出部を形設してなること。
また、切切削部の刃先角を、約１５°とする。
そして、切削部の背面角を、軸心に対して約３０°とする。
さらに、切削部の先端切削面を、１／４略曲面形状とする。
さらにまた、切削部の先端背面を、円弧形状とする。
そして、切屑排出部を、円弧形状にしてなることを特徴とする。
【発明の効果】
【０００８】１）、錐軸本体の下部の切削部の先端を、チャック部より外側に突出し、回転時に円を形成してなる１枚刃により、切削部の先端がウェザーストリップのクリップ部（中空部）に回転しながら食い込み、ゴムの弾力性により切屑を切削部の先端に引っ掛け、切屑排出部に沿って上方に確実に排出することができる。
２）、切削部の刃先角を約１５°に切削することにより、ウェザーストリップのクリップ取付部により確実に食い込むことができる。
３）、切削部の背面角を、軸心に対して約３０°とすることにより、適度に切削の外周を押圧し、切削後の反力（弾力）により切屑を排出し易くするものである。
４）、切削面を１／４略曲面形状とすることにより、より確実にウェザーストリップのクリップ取付部に、より確実に食い込むことができるものである。
５）、背面を円弧形状とすることにより、より一層確実に切屑を排出することができる。
６）、特に切屑排出部を円弧状に形設することによりハネ返りもなく、より確実に切屑を排出することができる。
【発明を実施するための最良の形態】
【０００９】  中空ゴム用錐１は、チャック軸２の下部の段差部３の先端部に、切削部４ａの先端４ａ１をチャック軸２の外径寸法２ａより外側に突出し、回転時に円を形成してなる一枚刃４を設けてなる。
上記一枚刀４は、切削部４ａの刃先角Ｈを約１５°とし、背面角Ｈ１を軸心Ｇに対して約３０°とする。
また、切削面４ａ２を１／４略曲面形状とし、背面４ａ３を円弧形状とするものである。
なお、チャック２の軸径Ｋを一例としてφ３ｍｍとする。
さらに、切削面４ａ２に連設する切屑排出部５を円弧形状にすることが望ましい。【００１０】  上記中空ゴム用錐１の使用例を下記に述べる。
ウェザーストリップＵのクリップ取付部ＫＴ（中空部Ｔ）に孔加工を行うべく、まず、中空ゴム用錐１のチャック軸２をボール盤（図示せず）に取り付け、回転させ、１枚刃４の切削部４ａの先端４ａ１をクリップ取付部ＫＴに押圧しながら切削する。（図６）
この時、切削部４ａの背面４ａ３にて、切屑ＫＺ１の外周を適度に押しながら切り込まれる。（図６）
最終的に、１枚刃４の先端４ａ１が貫通し、切屑排出部５を通って切屑ＫＺ１が外へ排出され、中空部Ｔ内に入り込むことなく、孔ＡＮを加工することができる。（図７）【００１１】  上記のように孔加工したウェザーストリップＵのクリップ取付部ＫＴの孔ＡＮ１にクリップＫＰをアンカーＫＰ１を中空部Ｔ内に圧入して取り付けるものである。【００１２】  上記の中空ゴム用錐１の実施例において、切削部の形状及び刃先角、背面角は多少形状や角度を同様な機能・効果の範囲で変更可能である。
【図面の簡単な説明】
【００１３】
【図１】  本発明の中空ゴム用錐の正面図。
【図２】  本発明の中空ゴム用錐の右側面図。
【図３】  本発明の中空ゴム用錐の左側面図。
【図４】  本発明の中空ゴム用錐の平面図。
【図５】  本発明の中空ゴム用錐の底面図。
【図６】  本発明の中空ゴム用錐第１切削状態図。
【図７】  本発明の中空ゴム用錐第２切削状態図。
【図８】  ウェザーストリップの側面図。
【図９】  クリップの平面図。
【図１０】  ウェザーストリップへのクリップの取付状態の正面図。
【図１１】  ウェザーストリップへのクリップの取付状態の一部縦断側面図。
【図１２】  従来例を示す中空ゴム用錐の要部の縦断面図。
【符号の説明】
【００１４】１−−−中空ゴム用錐
２−−−チャック軸
２ａ−−外径寸法
３−−−段差部
４−−−一枚刃
４ａ−−切削部
４ａ１−先端
４ａ２−切削面
４ａ３−青面
５−−−切屑排出部
Ｇ−−−軸心
Ｈ−−−刃先角
Ｈ１−−背面角
Ｋ−−−軸径
Ｕ−−−ウェザーストリップ
ＫＴ−−クリップ取付部
Ｔ−−−中空部
ＫＺ１−切屑
ＡＮ−−孔
ＫＰ−−クリップ
ＫＰ１−アンカー
【図１】
2011189492.tif 000003
【図２】
2011189492.tif 000004
【図３】
2011189492.tif 000005
【図４】
2011189492.tif 000006
【図５】
2011189492.tif 000007
【図６】
2011189492.tif 000008
【図７】
2011189492.tif 000009
【図８】
2011189492.tif 000010
【図９】
2011189492.tif 000011
【図１０】
2011189492.tif 000012
【図１１】
2011189492.tif 000013
【図１２】
2011189492.tif 000014